(57)【要約】【課題】脚部インパクタにゴムシートを簡単かつ迅速に巻き付けることができる脚部インパクタ用の巻付治具を提供すること。【解決手段】脚部インパクタ５用の巻付治具１は、自動車の歩行者脚部保護性能試験に用いられる脚部インパクタ５にゴムシート６を巻き付けるためのものである。巻付治具１は、幅狭部６１を巻付方向Ｗの両側から位置決めするフランジ状位置決め部２と、幅広部６２を円弧状に位置決めする円弧状位置決め部３と、脚部インパクタ５の位置決めを行うための位置決め部４Ａ，４Ｂとを有している。位置決め部４Ａ，４Ｂは、フランジ状位置決め部２及び円弧状位置決め部３によって位置決めされたゴムシート６に上方から対向する位置において脚部インパクタ５の位置決めを行うよう構成されている。フランジ状位置決め部２及び円弧状位置決め部３は、脚部インパクタ５の長手方向Ｌの複数箇所に対向する位置に設けられている。【選択図】図２
2015230276.tif 000002
【特許請求の範囲】
【請求項１】
自動車の歩行者脚部保護性能試験に用いられる脚部インパクタにゴムシートを巻き付けるための巻付治具であって、
上記ゴムシートは、上記脚部インパクタの長手方向に並んで、該長手方向に直交する巻付方向の幅が狭い幅狭部と、該幅狭部よりも幅が広い幅広部とを有しており、
上記巻付治具は、上記幅狭部を上記巻付方向の両側から位置決めするフランジ状位置決め部と、上記幅広部を円弧状に位置決めする円弧状位置決め部と、上記脚部インパクタの位置決めを行うための位置決め部とを有しており、
該位置決め部は、上記フランジ状位置決め部及び上記円弧状位置決め部によって位置決めされた上記ゴムシートに上方から対向する位置において上記脚部インパクタの位置決めを行うよう構成されており、
上記フランジ状位置決め部及び上記円弧状位置決め部は、上記脚部インパクタの長手方向の複数箇所の位置決めを行うよう複数設けられており、
上記フランジ状位置決め部同士の間には、上記脚部インパクタに巻き付けられた上記幅狭部を締め付けるためのバンドを配置するための隙間が設けられており、
上記円弧状位置決め部同士の間には、上記脚部インパクタに巻き付けられた上記幅広部を締め付けるためのバンドを配置するための隙間が設けられていることを特徴とする脚部インパクタ用の巻付治具。
【請求項２】
上記脚部インパクタは、上記長手方向の一端部に、試験機に吊り下げられるための吊りフックを有しており、
上記位置決め部は、上記吊りフックに係合する一端側位置決め部と、上記脚部インパクタの上記長手方向の他端部に係合する他端側位置決め部とを有していることを特徴とする請求項１に記載の脚部インパクタ用の巻付治具。
【発明の詳細な説明】
【技術分野】
【０００１】
本発明は、自動車の歩行者脚部保護性能試験に用いられる脚部インパクタ用の巻付治具に関する。
【背景技術】
【０００２】
自動車の歩行者脚部保護性能試験においては、歩行者の脚部を模擬して形成された脚部インパクタを用いている。そして、この脚部インパクタを試験機によって空中に飛ばして自動車に衝突させ、脚部インパクタに加わる衝撃値を測定し、歩行者の脚部に生じ得る損傷の度合いを評価している。例えば、特許文献１においては、人体脚部の膝部に相当する膝部材に生じる衝撃力、剪断力、モーメント、張力等を測定する、歩行者の脚部保護試験に用いるダミー脚部用センサーが開示されている。
また、脚部インパクタの衝突側には、ゴムシートが巻き付けられており、ゴムシートはバンドによって留め付けられている。
【先行技術文献】
【特許文献】
【０００３】
【特許文献１】特開平７−３１１１０３号公報
【発明の概要】
【発明が解決しようとする課題】
【０００４】
脚部インパクタへのゴムシートの巻付は、作業者が、自らの感覚に基づいて手作業によって行っている。しかしながら、作業者の感覚に基づいて、正規の巻付位置からずれないようにゴムシートを巻き付けて、このゴムシートをバンドによって留め付けることは難しい。ゴムシートが正規の巻付位置からずれている場合には、試験機によって脚部インパクタが空中に飛ばされたときには、脚部インパクタがその長手方向の中心軸線の回りに回転してしまうことがわかった。この場合、自動車に対する脚部インパクタの衝突位置が狙い位置からずれてしまい、試験のやり直しが必要になる。
【０００５】
本発明は、かかる背景に鑑みてなされたもので、脚部インパクタに対する正規の巻付位置に、ゴムシートを簡単かつ迅速に巻き付けることができる脚部インパクタ用の巻付治具を提供しようとして得られたものである。
【課題を解決するための手段】
【０００６】
本発明の一態様は、自動車の歩行者脚部保護性能試験に用いられる脚部インパクタにゴムシートを巻き付けるための巻付治具であって、
上記ゴムシートは、上記脚部インパクタの長手方向に並んで、該長手方向に直交する巻付方向の幅が狭い幅狭部と、該幅狭部よりも幅が広い幅広部とを有しており、
上記巻付治具は、上記幅狭部を上記巻付方向の両側から位置決めするフランジ状位置決め部と、上記幅広部を円弧状に位置決めする円弧状位置決め部と、上記脚部インパクタの位置決めを行うための位置決め部とを有しており、
該位置決め部は、上記フランジ状位置決め部及び上記円弧状位置決め部によって位置決めされた上記ゴムシートに上方から対向する位置において上記脚部インパクタの位置決めを行うよう構成されており、
上記フランジ状位置決め部及び上記円弧状位置決め部は、上記脚部インパクタの長手方向の複数箇所の位置決めを行うよう複数設けられており、
上記フランジ状位置決め部同士の間には、上記脚部インパクタに巻き付けられた上記幅狭部を締め付けるためのバンドを配置するための隙間が設けられており、
上記円弧状位置決め部同士の間には、上記脚部インパクタに巻き付けられた上記幅広部を締め付けるためのバンドを配置するための隙間が設けられていることを特徴とする脚部インパクタ用の巻付治具にある。
【発明の効果】
【０００７】
上記脚部インパクタ用の巻付治具は、この巻付治具に対してゴムシートと脚部インパクタとを配置することにより、脚部インパクタに対するゴムシートの巻付位置を案内するものである。
巻付治具は、ゴムシートの位置決めを行うための複数のフランジ状位置決め部及び複数の円弧状位置決め部を有しており、脚部インパクタの位置決めを行うための位置決め部を有している。また、フランジ状位置決め部同士の間及び円弧状位置決め部同士の間には、バンドを配置するための隙間が設けられている。
【０００８】
脚部インパクタにゴムシートを巻き付ける際には、フランジ状位置決め部同士の間の隙間及び円弧状位置決め部同士の間の隙間にバンドを配置し、フランジ状位置決め部及び円弧状位置決め部の上にゴムシートを配置する。このとき、ゴムシートの幅狭部の巻付方向の位置がフランジ状位置決め部によって位置決めされ、ゴムシートの幅広部の巻付方向の位置が円弧状位置決め部によって位置決めされる。そして、巻付治具に対するゴムシートの配置位置が決定される。また、ゴムシートに上方から対向する位置において、位置決め部に脚部インパクタを配置する。このとき、巻付治具に対する脚部インパクタの配置位置が決定される。
【０００９】
そして、バンド、ゴムシート及び脚部インパクタが巻付治具に配置された状態において、脚部インパクタにゴムシートを巻き付けて、ゴムシートをバンドによって締め付ける。これにより、脚部インパクタに対する正規の巻付位置にゴムシートを巻き付けて固定することができる。そのため、ゴムシートの巻付に作業者の熟練を要することがなく、脚部インパクタに対する正規の巻付位置に、ゴムシートを簡単かつ迅速に巻き付けることができる。
【００１０】
また、円弧状位置決め部に配置された幅広部は、円弧状に丸められる。これにより、位置決め部に脚部インパクタを配置したときに、円弧状の幅広部が脚部インパクタの回りに配置される。そのため、幅広部を脚部インパクタに巻き付ける力を小さくすることができる。
【００１１】
それ故、上記脚部インパクタ用の巻付治具によれば、脚部インパクタに対する正規の巻付位置に、ゴムシートを簡単かつ迅速に巻き付けることができる。
【図面の簡単な説明】
【００１２】
【図１】実施例にかかる、脚部インパクタ用の巻付治具を示す斜視図。
【図２】実施例にかかる、バンド、ゴムシート及び脚部インパクタが載置された状態の巻付治具を示す斜視図。
【図３】実施例にかかる、巻付治具における、他端側位置決め部及びフランジ状位置決め部の周辺を、長手方向から見た状態で示す説明図。
【図４】実施例にかかる、巻付治具における、一端側位置決め部及び円弧状位置決め部の周辺を、長手方向から見た状態で示す説明図。
【図５】実施例にかかる、ゴムシート及び表皮が巻き付けられた脚部インパクタを示す断面説明図。
【発明を実施するための形態】
【００１３】
上述した脚部インパクタ用の巻付治具における好ましい実施の形態について説明する。
上記脚部インパクタ用の巻付治具においては、上記脚部インパクタは、上記長手方向の一端部に、試験機に吊り下げられるための吊りフックを有しており、上記位置決め部は、上記吊りフックに係合する一端側位置決め部と、上記脚部インパクタの上記長手方向の他端部に係合する他端側位置決め部とを有していてもよい。
この場合には、吊りフックを利用して、巻付治具に対する脚部インパクタの位置決めを行うことができる。そのため、巻付治具に対する脚部インパクタの位置決めが容易になる。
【実施例】
【００１４】
以下に、脚部インパクタ用の巻付治具にかかる実施例について、図面を参照して説明する。
本例の脚部インパクタ５用の巻付治具１は、図１、図２に示すように、自動車の歩行者脚部保護性能試験に用いられる脚部インパクタ５にゴムシート６を巻き付けるためのものである。
ゴムシート６は、脚部インパクタ５の長手方向Ｌに並んで、長手方向Ｌに直交する巻付方向Ｗの幅が狭い幅狭部６１と、幅狭部６１よりも幅が広い幅広部６２とを有している。巻付治具１は、幅狭部６１を巻付方向Ｗの両側から位置決めするフランジ状位置決め部２と、幅広部６２を円弧状に位置決めする円弧状位置決め部３と、脚部インパクタ５の位置決めを行うための位置決め部４Ａ，４Ｂとを有している。
【００１５】
位置決め部４Ａ，４Ｂは、フランジ状位置決め部２及び円弧状位置決め部３によって位置決めされたゴムシート６に上方から対向する位置において脚部インパクタ５の位置決めを行うよう構成されている。フランジ状位置決め部２及び円弧状位置決め部３は、脚部インパクタ５の長手方向Ｌの複数箇所の位置決めを行うよう複数設けられている。フランジ状位置決め部２同士の間には、脚部インパクタ５に巻き付けられた幅狭部６１を締め付けるためのバンド７を配置するための隙間Ｓが設けられている。また、円弧状位置決め部３同士の間にも、脚部インパクタ５に巻き付けられた幅広部６２を締め付けるためのバンド７を配置するための隙間Ｓが設けられている。
【００１６】
以下に、本例の脚部インパクタ５用の巻付治具１について、図１〜図５を参照して詳説する。
図５に示すように、脚部インパクタ５は、自動車の歩行者脚部保護性能試験を行う際に、試験機に吊り下げられ、試験機によって空中に飛ばされて自動車のバンパに衝突させて使用される。脚部インパクタ５は、膝に相当する中心部５１に対する一方側に、太股側となる上側脚部５２を有し、中心部５１に対する他方側に、膝側となる下側脚部５３を有している。脚部インパクタ５内には、自動車に衝突したときに脚部インパクタ５の各部に作用する力、モーメント等を測定するための種々のセンサが設けられている。
【００１７】
ゴムシート６は、複数枚が重ねられて脚部インパクタ５に巻き付けられる。また、ゴムシート６の上には表皮６３が巻き付けられる。ゴムシート６は、幅狭部６１と幅広部６２とが形成された第１シート６Ａと、幅広部６２に重ねられる第２シート６Ｂとがある。第１シート６Ａと第２シート６Ｂとは２枚ずつ使用され、２枚の第１シート６Ａの幅広部６２の両側の外側面に第２シート６Ｂが１枚ずつ重ねられる。ゴムシート６は、脚部インパクタ５における前面側（自動車に衝突する側）に巻き付けられる。
【００１８】
図１に示すごとく、巻付治具１は、脚部インパクタ５の長手方向Ｌに伸びるベース部材１１に対して、フランジ状位置決め部２を形成する複数の第１プレート部材２０、及び円弧状位置決め部３を形成する複数の第２プレート部材３０が取り付けられて形成されている。図３に示すように、フランジ状位置決め部２は、第１プレート部材２０の巻付方向Ｗの両端部において上方に折り曲げられた一対のフランジ部２１によって形成されている。
図２に示すように、長手方向Ｌに並ぶ複数の第１プレート部材２０同士の間には、バンド７を配置するための隙間Ｓが空けられている。本例においては、４つの第１プレート部材２０同士の間に、幅狭部６１に巻き付けるための３本のバンド７を配置するための隙間Ｓがそれぞれ形成されている。
【００１９】
図４に示すように、円弧状位置決め部３は、第２プレート部材３０の全体を円弧状に折り曲げて形成されている。そして、第２プレート部材３０の円弧状に折り曲げられた両端部が上方に向けられている。長手方向Ｌに並ぶ複数の第２プレート部材３０同士の間には、バンド７を配置するための隙間Ｓが空けられている。本例においては、４つの第２プレート部材３０同士の間に、幅広部６２に巻き付けるための３本のバンド７を配置するための隙間Ｓがそれぞれ形成されている。
【００２０】
円弧状位置決め部３を形成する第２プレート部材３０の内周面の巻付方向Ｗにおける長さは、ゴムシート６の幅広部６２の巻付方向Ｗの長さと略同じになっている。そして、巻付治具１に対する幅広部６２の巻付方向Ｗの位置合わせは、幅広部６２の巻付方向Ｗの両端面６２１を第２プレート部材３０の巻付方向Ｗの両端面３０１に合わせることによって行うことができる。
また、図３に示すごとく、巻付治具１に対する幅狭部６１の巻付方向Ｗの位置合わせは、幅狭部６１を第１プレート部材２０における一対のフランジ部２１の間に配置することによって行うことができる。
【００２１】
図２、図５に示すように、脚部インパクタ５は、長手方向Ｌの一端部５０１である上端部に、試験機に吊り下げられるための吊りフック５４を有している。位置決め部４Ａ，４Ｂは、吊りフック５４に係合する一端側位置決め部４Ａと、脚部インパクタ５の長手方向Ｌの他端部５０２に係合する他端側位置決め部４Ｂとによって構成されている。
図４に示すように、吊りフック５４は、試験機における吊下げ部に設けられたピンを差し込み可能な差込穴部５４１を有している。一端側位置決め部４Ａは、吊りフック５４の差込穴部５４１に差し込まれるよう、ベース部材１１に立設された位置決めピン４１である。吊りフック５４の差込穴部５４１に位置決めピン４１が差し込まれると、巻付治具１に対する脚部インパクタ５の長手方向Ｌの位置及び巻付方向Ｗの位置が決定される。
【００２２】
図２、図３に示すように、他端側位置決め部４Ｂは、脚部インパクタ５の長手方向Ｌの他端部５０２の巻付方向Ｗにおける両側面を、巻付方向Ｗの両側から位置決めする位置決めガイド４２によって形成されている。位置決めガイド４２は、一対のフランジ部によって構成されている。位置決めガイド４２に脚部インパクタ５の長手方向Ｌの他端部５０２が配置されると、脚部インパクタ５の長手方向Ｌの他端部５０２が巻付方向Ｗに位置決めされる。
そして、脚部インパクタ５は、吊りフック５４及び位置決めガイド４２によって、巻付治具１に対する長手方向Ｌ及び巻付方向Ｗの位置が固定される。
【００２３】
次に、脚部インパクタ５にゴムシート６を巻き付ける方法について説明する。
脚部インパクタ５にゴムシート６を巻き付ける際には、フランジ状位置決め部２同士の間の隙間Ｓ及び円弧状位置決め部３同士の間の隙間Ｓにバンド７を配置し、フランジ状位置決め部２及び円弧状位置決め部３の上にゴムシート６を配置する。このとき、ゴムシート６の幅狭部６１の巻付方向Ｗの位置がフランジ状位置決め部２によって位置決めされ、ゴムシート６の幅広部６２の巻付方向Ｗの位置が円弧状位置決め部３によって位置決めされる。そして、巻付治具１に対するゴムシート６の配置位置が決定される。また、ゴムシート６に上方から対向する位置において、一端側位置決め部４Ａ及び他端側位置決め部４Ｂに脚部インパクタ５を配置する。このとき、巻付治具１に対する脚部インパクタ５の配置位置が決定される。
【００２４】
そして、バンド７、ゴムシート６及び脚部インパクタ５が巻付治具１に配置された状態において、脚部インパクタ５にゴムシート６を巻き付けて、ゴムシート６をバンド７によって締め付ける。これにより、脚部インパクタ５に対する正規の巻付位置にゴムシート６を巻き付けて固定することができる。そのため、ゴムシート６の巻付に作業者の熟練を要することがなく、脚部インパクタ５に対する正規の巻付位置に、ゴムシート６を簡単かつ迅速に巻き付けることができる。
【００２５】
また、円弧状位置決め部３に配置された幅広部６２は、円弧状に丸められる。これにより、位置決め部４Ａ，４Ｂに脚部インパクタ５を配置したときに、円弧状の幅広部６２が脚部インパクタ５の回りに配置される。そのため、幅広部６２を脚部インパクタ５に巻き付ける力を小さくすることができる。
【００２６】
それ故、本例の脚部インパクタ５用の巻付治具１によれば、脚部インパクタ５に対する正規の巻付位置に、ゴムシート６を簡単かつ迅速に巻き付けることができる。
【符号の説明】
【００２７】
１  巻付治具
２  フランジ状位置決め部
３  円弧状位置決め部
４Ａ，４Ｂ  位置決め部
５  脚部インパクタ
５４  吊りフック
６  ゴムシート
６１  幅狭部
６２  幅広部
７  バンド
Ｓ  隙間
【図１】
2015230276.tif 000003
【図２】
2015230276.tif 000004
【図３】
2015230276.tif 000005
【図４】
2015230276.tif 000006
【図５】
2015230276.tif 000007